(57)【要約】  本発明は、マッサージ器に関し、一体に係合されたフロントケース１１０及びリアケース１２０を含むアイシールド１００と、アイシールド１００の両端に接続された縛りベルト２００とを備える眼部マッサージ器において、リアケース１２０には眼部に対応する２つの中空アイフレーム１２１が設けられ、２つの中空アイフレーム１２１の前側のそれぞれには温度伝導チップ１３１が設けられ、温度伝導チップ１３１の前面のそれぞれには半導体冷却チップ１４０が設けられ、各半導体冷却チップ１４１上のいずれにも放熱装置１５０が設けられている眼部マッサージ器を提供する。本発明において、眼部マッサージ器は半導体冷却チップの冷却機能を利用して眼部に対し冷湿布をし、この時、放熱装置は半導体冷却チップの熱い端に対し放熱し、冷湿布の効果をより好適にし、外部電源の極性ごとに逆接続した時半導体冷却チップが迅速に発熱して眼部に対し熱湿布をし、この時に熱湿布は眼部の回りの血管の拡張に使用され、血液の循環を促進し、眼部の疲労、しょぼしょぼを緩和する。【選択図】図３
2016538104.tif 000002
【特許請求の範囲】
【請求項１】
一体に係合されたフロントケース及びリアケースを含むアイシールドと、前記アイシールドの両端に接続された縛りベルトとを備える眼部マッサージ器において、前記リアケースには眼部に対応する２つの中空アイフレームが設けられ、前記２つの中空アイフレームのそれぞれ前側には温度伝導チップが設けられ、前記温度伝導チップのそれぞれ前面には半導体冷却チップが設けられ、前記半導体冷却チップのそれぞれの上には放熱装置が設けられていることを特徴とする眼部マッサージ器。
【請求項２】
前記放熱装置は、いずれも前記半導体冷却チップの前面に貼設された放熱チップと、放熱チップの前側に設けられた放熱ファンとを備えることを特徴とする請求項１に記載の眼部マッサージ器。
【請求項３】
前記放熱装置はいずれも放熱ブラケットにより前記温度伝導チップに固定されていることを特徴とする請求項１又は２に記載の眼部マッサージ器。
【請求項４】
前記放熱ブラケットは、外部筐体と、前記外部筐体の両側から伸出したＬ形支持脚とを備え、前記Ｌ形支持脚は前記温度伝導チップに固定されることを特徴とする請求項３に記載の眼部マッサージ器。
【請求項５】
前記放熱チップに複数の放熱フィンが設けられていることを特徴とする請求項２に記載の眼部マッサージ器。
【請求項６】
前記縛りベルトは取り外し可能に前記アイシールドに接続されていることを特徴とする請求項１に記載の眼部マッサージ器。
【請求項７】
前記アイシールドの両端にそれぞれ係止フックが設けられ、前記縛りベルトの両端にそれぞれ係止バックルが設けられ、各前記係止バックルにそれぞれ各前記係止フックをかけることができる係止穴が設けられていることを特徴とする請求項６に記載の眼部マッサージ器。
【発明の詳細な説明】
【技術分野】
【０００１】
本発明はマッサージ器に関し、より具体的には、眼部マッサージ器に関する。
【背景技術】
【０００２】
従来の眼部マッサージ器は、多くの場合にマッサージヘッドのみを利用してマッサージを行うようになっている。即ちマッサージ機能のみを有しており、理学療法の作用を備えず、この種類の眼部マッサージ器は機能が単一である。
【発明の概要】
【発明が解決しようとする課題】
【０００３】
本発明は、眼部マッサージ器が理学療法の作用を持っていないという従来の技術に存在する課題を解決する眼部マッサージ器を提供することを目的とする。
【課題を解決するための手段】
【０００４】
上記技術課題を解決するために、本発明の技術的手段は、一体に係合されたフロントケース及びリアケースを含むアイシールドと、前記アイシールドの両端に接続された縛りベルトとを備える眼部マッサージ器において、前記リアケースには眼部に対応する２つの中空アイフレームが設けられ、前記２つの中空アイフレームの前側のそれぞれには温度伝導チップが設けられ、各前記温度伝導チップの前面のそれぞれには半導体冷却チップが設けられ、各半導体冷却チップ上のいずれにも放熱装置が設けられている眼部マッサージ器を提供することである。
【０００５】
具体的には、各前記放熱装置は、いずれも前記半導体冷却チップの前面に貼設された放熱チップと、放熱チップの前側に設けられた放熱ファンとを備える。
【０００６】
具体的には、各前記放熱装置はいずれも放熱ブラケットにより前記温度伝導チップに固定されている。
【０００７】
具体的には、前記放熱ブラケットは、外部筐体と、前記外部筐体の両側から伸出したＬ形支持脚とを備え、前記Ｌ形支持脚は前記温度伝導チップに固定されている。
【０００８】
更に、前記放熱チップに複数の放熱フィンが設けられている。
【０００９】
更に、前記縛りベルトは取り外し可能に前記アイシールドに接続されている。
【００１０】
具体的には、前記アイシールドの両端にそれぞれ係止フックが設けられ、前記縛りベルトの両端にそれぞれ係止バックルが設けられ、各前記係止バックルにそれぞれ各前記係止フックをかけることができる係止穴が設けられている。
【００１１】
本発明において、眼部マッサージ器は、理学療法の機能を有し、電源電圧の正負極性が同極性接続されると、半導体冷却チップの冷却機能を利用して眼部を冷湿布をして、眼部の回りの血管を収縮させ、眼部の腫れが引くことを幇助し、目のくまが生じることを抑制する。この時、放熱装置は半導体冷却チップの熱い端に対し放熱し、冷湿布の効果をより好適にする。逆極性接続されると半導体冷却チップが迅速に眼部を熱湿布する。この時に放熱装置が動作せず、この時に熱湿布は眼部の回りの血管を拡張し、血液循環を促進し、眼部の疲労、しょぼしょぼ感を緩和する。
【図面の簡単な説明】
【００１２】
【図１】本発明で提供される眼部マッサージ器の一つの好ましい実施例の構造模式図である。
【図２】本発明の実施例における眼部マッサージ器の別の角度から観察した図である。
【図３】本発明の実施例における眼部マッサージ器の分解模式図である。
【図４】本発明の実施例における眼部マッサージ器の別の角度から観察した分解模式図である。
【図５】本発明の実施例における眼部マッサージ器のフロントケースを取り外した構造模式図である。
【図６】本発明の実施例における眼部マッサージ器の断面図である。
【発明を実施するための形態】
【００１３】
本発明の目的、技術的手段及びメリットをより分かりやすくするために、以下、添付図面及び実施例を結びつけて本発明を更に詳細に説明する。ここに記述された具体的な実施例が本発明を解釈するためのものに過ぎず、本発明を限定する意図がないことは理解すべきである。
【００１４】
図１〜図４を参照する。本発明で提供された眼部マッサージ器は、アイシールド１００及びアイシールド１００の両端に接続された縛りベルト２００を備える。アイシールド１００は一体に係合されたフロントケース１１０及びリアケース１２０を備える。リアケース１２０は、凹形の枠状を呈し、眼部に対応する２つの中空アイフレーム１２１が設けられている。２つの中空アイフレーム１２１の前側のそれぞれには温度伝導チップ１３１が設けられ、２つの温度伝導チップ１３１の間は接続ブロック１３２により接続され、接続ブロック１３２には制御回路板（図面中に未提示）が設けられている。２つの温度伝導チップ１３１のそれぞれには２つの中空アイフレーム１２１に対応して取り付けられている。即ち、２つの温度伝導チップ１３１の内表面は中空アイフレーム１２１中から透過し得える。そのようにして眼部マッサージ器をつけた後、温度伝導チップ１３１は直接眼部と接触する。各温度伝導チップ１３１の前面のいずれにも半導体冷却チップ１４０が設置され、各半導体冷却チップ１４０のいずれにも放熱装置１５０が設けられている。半導体冷却チップ１４０は、熱電冷却チップとも呼ばれており、その特性として、電源の電圧が入れられた時、正負極性が同極性接続されると迅速に冷却でき、逆極性接続されると迅速に発熱できる。そのようにして、半導体冷却チップ１４０を利用することで眼部マッサージ器によって冷湿布と熱湿布機能を実現する。各半導体冷却チップ１４０のいずれにも放熱装置１５０が設けられている。本実施例では、半導体冷却チップ１４０は冷却したり加熱したりする時、その温度は温度伝導チップ１３１により伝導されて眼部を冷湿布と熱湿布をし、半導体冷却チップ１４０は冷却する時、その一面は冷い端となり他の一面は熱い端となり、且つ冷い端と熱い端の温度差は比較的に大きく、各半導体冷却チップ１４０の熱い端に放熱装置１５０を設けることで自発的に放熱させて熱い端の温度を低下させ、冷い端の温度も相応的に降下して、これによりさらに低い温度に到る。
【００１５】
具体的には、図５、図６に関連し、放熱装置１５０はいずれも放熱チップ１５１及び放熱ファン１５２を備える。その中で、放熱チップ１５１は半導体冷却チップ１４０の前面、即ち熱い端に貼設され、放熱ファン１５２は放熱チップ１５１の前側に設置され、最後に放熱チップ１５１及び放熱ファン１５２をクランプする放熱ブラケット１６０を介して温度伝導チップ１３１に固定されている。
【００１６】
具体的には、放熱ブラケット１６０は、外部筐体１６１と、外部筐体１６１の両側から伸出したＬ形支持脚１６２を備える。２つのＬ形支持脚１６２は温度伝導チップ１３１に固定されている。外部筐体１６１は、放熱ファン１５２の外側にはめられている。外部筐体１６１は、枠状を呈している。放熱ファン１５２が動作している時に吹き出した風は外部筐体１６１から流れ出し、熱量をタイムリーに放熱することを保証する。Ｌ形支持脚１６２は、放熱チップ１５１及び放熱ファン１５２の位置を限定する。Ｌ形支持脚１６２は、ねじのような締付部材により温度伝導チップ１３１に固定される。
【００１７】
放熱効果を保証するために、放熱チップ１５１には複数の放熱フィン１５１１が設けられている。
【００１８】
本実施例では、洗浄と収納を容易にするために、縛りベルト２００は取り外し可能にアイシールド１００に接続されている。具体的には、リアケース１２０の両端にそれぞれ係止フック１２２が設けられ、縛りベルト２００の両端にそれぞれ係止バックル２１０が設けられ、各係止バックル２１０にそれぞれ各係止フック１２２をかけることができる係止穴２１１が設けられている。そのようにして、係止フック１２２と係止穴２１１を利用すれば縛りベルト２００がリアケース１２０に固定される。また、このような構造は取り外し、取り付けに便利である。
【００１９】
本実施例では、眼部マッサージ器は、主に半導体冷却チップ１４０を利用して眼部に理学療法を施しており、電源電圧の正負極性が同極性接続されると、半導体冷却チップ１４０の冷却機能を利用して眼部を冷湿布し、眼部の回りの血管の収縮に使い、眼部の腫れが引くことを幇助し、目のくまが生じることを抑制する。この時、放熱装置１５０は半導体冷却チップ１４０の熱い端に対し、冷却効果をより好適に使用する。逆極性接続されると半導体冷却チップ１４０は迅速に発熱して眼部に対し熱湿布をする。この時に放熱装置１５０が動作せず、この時に熱湿布が眼部の回りの血管の拡張に試用され、血液の循環を促進し、眼部の疲労、しょぼしょぼ感を緩和する。勿論、本実施例における眼部マッサージ器は、また、マッサージの構造を増加すること、例えばリアケース１２０の内側にマッサージヘッド（図面中に未提出）を増設し、エアバッグ又は電動方式を利用してマッサージヘッドを駆動させ眼部のマッサージを行う改善をすることができる。
【００２０】
上記したのは本発明の好ましい実施例に過ぎず、本発明を限定するためのものでなく、本発明の精神と原則内に行われた修正、同等な代替及び改善は、すべて本特許請求の範囲内に含まれるものである。
【符号の説明】
【００２１】
１００  アイシールド
１１０  フロントケース
１２０  リアケース
１２１  中空アイフレーム
１２２  係止フック
１３１  温度伝導チップ
１３２  接続ブロック
１４０  半導体冷却チップ
１５０  放熱装置
１５１  放熱チップ
１５１１  放熱フィン
１５２  放熱ファン
１６０  放熱ブラケット
１６１  外部筐体
１６２  Ｌ形支持脚
２００  縛りベルト
２１０  係止バックル
２１１  係止穴
【図１】
2016538104.tif 000003
【図２】
2016538104.tif 000004
【図３】
2016538104.tif 000005
【図４】
2016538104.tif 000006
【図５】
2016538104.tif 000007
【図６】
2016538104.tif 000008
【国際調査報告】
2016538104.tif 000009
2016538104.tif 000010
2016538104.tif 000011
2016538104.tif 000012
2016538104.tif 000013
2016538104.tif 000014